(57)【要約】【課題】  建物の雨漏り対策を半恒久的に施すことができる建物の外装を保護する方法を提供すること。【解決手段】  保護対象である建物がエレベータ式駐車装置である場合を例示すると、この建物の外装の保護方法は、駐車塔４の外壁面に沿う防水シート２２を用意する工程と、この防水シート２２の上端部である舌片部分２２ｂを駐車塔４の屋根に固定する工程と、舌片部分２２ｂより下の側壁対応部分２２ａ部分を駐車塔４の外壁面を覆うように下方に垂らして対応させたうえで、隣接対応する側壁対応部分２２ａの側辺同士をロープによって縫うように連結する工程と、この防水シート２２の側壁対応部分２２ａの適宜箇所を駐車塔４の外壁に固定する工程とを含んでいる。【選択図】  図６
2006283513.tif 000002
【特許請求の範囲】
【請求項１】
建物の外装を保護する方法であって、
保護対象である上記建物の外面に沿う防水シートを用意する工程と、
該防水シートを建物の外面を覆うように対応させる工程と、
該防水シートを、その適宜箇所を建物の外面に固定することによって建物に取り付ける工程とを含んでなる建物の外装を保護する方法。
【請求項２】
上記防水シートが建物の外面を展開した形状にほぼ対応する平面状に形成されており、
この防水シートを上記建物の外面に沿わせて固定する前または固定した後に、建物の外面に沿わせたときに隣接対応する側辺同士を連結する請求項１記載の建物の外装を保護する方法。
【請求項３】
上記防水シートが一の保護対象建物に対して複数枚で対応するように形成されており、
これらの防水シートを上記建物の外面に沿わせて固定する前または固定した後に、建物の外面に沿わせたときに隣接対応する防水シートの側辺同士を連結する請求項２記載の建物の外装を保護する方法。
【請求項４】
上記防水シートが、建物の側壁面に対応する形状の側壁対応部分と、側壁対応部分の上端に建物の屋根に固定するために連続して形成された舌片部分とを有する側壁用防水シートとして構成されており、
上記防水シートの適宜箇所を建物の外面に固定する工程が、舌片部分を建物の屋根に固定する工程を含んでおり、
隣接対応する側辺同士を連結する工程が、建物の外面に沿わせたときに隣接対応する側壁対応部分の側辺同士を連結する工程を含んでなる請求項２または３記載の建物の外装を保護する方法。
【請求項５】
上記建物が、その屋根の周縁に沿って取り付けられる笠木を備えており、
上記防水シートの舌片部分を笠木によって屋根の周縁と挟んだ状態で固定する工程と、
側壁対応部分を建物の側壁に沿って垂らす工程と、
隣接対応する側壁対応部分の側辺同士を連結する工程とを含んでなる請求項４記載の建物の外装を保護する方法。
【請求項６】
上記建物が、その屋根の周縁に沿って取り付けられる笠木を備えており、
上記防水シートの舌片部分を笠木の上に被せたうえで笠木の屋根側の内周縁に固定する工程と、
側壁対応部分を建物の側壁に沿って垂らす工程と、
隣接対応する側壁対応部分の側辺同士を連結する工程とを含んでなる請求項４記載の建物の外装を保護する方法。
【請求項７】
上記防水シートの隣接対応する側辺同士を連結するに際し、予め該側辺に沿って複数個の貫通孔を適宜間隔で形成しておき、隣接対応する側辺の貫通孔間を長尺部材によって縫うように連結する請求項４記載の建物の外装を保護する方法。
【請求項８】
上記建物の平面視角部に、その上下方向に沿ってこの角部を覆うように取り付けられるコーナー部材が配設されており、
防水シートが、その隣接対応して連結されるべき側辺が上下方向に延びる上記角部に沿うような形状にされており、
建物の側壁に沿って垂らされた防水シートにおける連結された隣接対応側辺を覆うように、コーナー部材を上記角部に取り付ける請求項２または３記載の建物の外装を保護する方法。
【請求項９】
建物の屋根の部分を覆うための屋根用防水シートを別途用意し、
上記側壁用防水シートの舌片部分を建物の屋根に固定した後で、上記屋根用防水シートを、屋根に固定した上記舌片部分を含めた屋根全体を覆うように建物に固定する請求項４記載の建物の外装を保護する方法。
【請求項１０】
上記防水シートを、建物の屋根に対応する部分と側壁に対応する部分とが連続一体に形成された屋根付きの筒状に形成し、
該防水シートを、建物の上から被せたうえで建物の外面に固定する請求項１記載の建物の外装を保護する方法。
【発明の詳細な説明】
【技術分野】
【０００１】
本発明は建物の外装の保護方法に関する。さらに詳しくは、機械式駐車装置を収容した建物や立体倉庫などの建造物における、骨格構造物の外表面に装着されている外装を保護する方法に関する。
【背景技術】
【０００２】
従来、たとえば機械式駐車装置を収容した搭状の建物は、その骨格を構成する鉄骨構造体と、鉄骨構造体の側面の全体を覆う外装板とを主要構成要素としている。このような建物は経年劣化による外装板のひび割れ、および、目地コーキングの摩滅や剥がれ落ち等が原因で雨漏りを引き起こすことがある。雨水は外装板のわずかなひび割れ等の部分から建物内に侵入し、鉄骨構造体の各部を伝って落下する。
【０００３】
雨漏りの発生を発見すれば早急に修理をする必要がある。しかし、雨水の落下箇所は発見できても、直接建物内部に侵入してくる部位である外装板のひび割れ部やコーキングの欠損部を発見することは困難である。とくに、雨水が複数箇所から建物内に侵入してくる場合は、雨水が複雑に入り組んだそれぞれの経路を伝って流れ込んだ後、集まって一つの経路となって建物内に落下するのが普通であるため、全侵入箇所を発見するのは一層困難となる。また、雨水侵入箇所の探索作業は、雨が止めばさらに発見が困難となるので、実際に雨漏りが生じている間に行う必要がある。
【０００４】
上記雨水侵入箇所の発見が困難と判断したら、建物の外装全面の改装工事に踏み切らねばならない。たとえば、既設の外装板のほとんど全てを鉄骨構造体から取り外し、新しい外装板を取り付ける方法がある。または、既設の外装板を取り外すことなくそのままにし、その古い外装板の上を覆うように新しい外装板を取り付ける方法も知られている（たとえば特許文献１参照）。しかし、前者の方法では、古い外装板の解体作業と新しい外装板の展装作業との二つの大がかりな工事を伴うため、工事期間が長引き、コストも大変高いものとなる。後者の方法では、鉄骨構造体から古い外装板の外方まで延びるように固定金具を突設し、この固定金具の先端に新しい外装板を取り付けるため、建物の平面視外形寸法が必然的に大きく拡大することになる。したがって、大がかりな改装工事となるばかりか、敷地の制約によってこの改装工事自体が不可能となる場合がある。
【特許文献１】実開昭５６−９３４４５号公報
【発明の開示】
【発明が解決しようとする課題】
【０００５】
本発明はかかる課題を解決するためになされたものであり、上記従来の技術のように大がかりな工事および高コストを伴うことなく、雨漏り対策を半恒久的に施すことができる建物の外装の改装を含む保護の方法を提供することを目的としている。
【課題を解決するための手段】
【０００６】
本発明の建物の外装を保護する方法は、
建物の外装を保護する方法であって、
保護対象である上記建物の外面に沿う防水シートを用意する工程と、
この防水シートを建物の外面を覆うように対応させる工程と、
この防水シートを、その適宜箇所を建物の外面に固定することによって建物に取り付ける工程とを含んでいる。
【０００７】
防水シートによって保護対象の建物の外面を覆うのであるから、外壁等が損傷していても雨水の浸入を防止することができる。しかも、この防水シートを建物の外面に沿わせて固定するので、雨漏り対策を半恒久的に施すことができる。なお、上記建物の外面とは、その側壁面のみならず屋根をも含んだ外部に露出する面を意味する。
【０００８】
上記防水シートを、建物の外面を展開した形状にほぼ対応する平面状に形成しておき、この防水シートを上記建物の外面に沿わせて固定する前または固定した後に、建物の外面に沿わせたときに隣接対応する側辺同士を連結してもよい。
【０００９】
上記防水シートを、一の保護対象建物に対して複数枚で対応するように形成しておき、これらの防水シートを上記建物の外面に沿わせて固定する前または固定した後に、建物の外面に沿わせたときに隣接対応する防水シートの側辺同士を連結することもできる。
【００１０】
上記防水シートを、建物の側壁面に対応する形状の側壁対応部分と、側壁対応部分の上端に建物の屋根に固定するために連続して形成された舌片部分とを有する側壁用防水シートとして構成しておき、
上記防水シートの適宜箇所を建物の外面に固定する工程に、舌片部分を建物の屋根に固定する工程を含み、
隣接対応する側辺同士を連結する工程に、建物の外面に沿わせたときに隣接対応する側壁対応部分の側辺同士を連結する工程を含めることができる。
【００１１】
上記建物がその屋根の周縁に沿って取り付けられる笠木を備えている場合、
上記保護方法に、上記防水シートの舌片部分を笠木によって屋根の周縁と挟んだ状態で固定する工程と、側壁対応部分を建物の側壁に沿って垂らす工程と、隣接対応する側壁対応部分の側辺同士を連結する工程とを含めることができる。
【００１２】
上記建物がその屋根の周縁に沿って取り付けられる笠木を備えている場合、
上記防水シートの舌片部分を笠木の上に被せたうえで笠木の屋根側の内周縁に固定する工程と、側壁対応部分を建物の側壁に沿って垂らす工程と、隣接対応する側壁対応部分の側辺同士を連結する工程とを含めることができる。
【００１３】
上記防水シートの隣接対応する側辺同士を連結するに際し、予めこの側辺に沿って複数個の貫通孔を適宜間隔で形成しておき、隣接対応する側辺の貫通孔間を長尺部材によって縫うように連結することができる。
【００１４】
上記建物の平面視角部に、上下方向に沿ってこの角部を覆うように取り付けられるコーナー部材が配設されている場合、
防水シートを、その隣接対応して連結されるべき側辺が上下方向に延びる上記角部に沿うような形状に形成しておき、建物の側壁に沿って垂らされた防水シートにおける連結された隣接対応側辺を覆うように、コーナー部材を上記角部に取り付けることができる。
【００１５】
建物の屋根の部分を覆うための屋根用防水シートを別途用意し、上記側壁用防水シートの舌片部分を建物の屋根に固定した後で、上記屋根用防水シートを、屋根に固定した上記舌片部分を含めた屋根全体を覆うように建物に固定することができる。
【００１６】
上記防水シートを、建物の屋根に対応する部分と側壁に対応する部分とが連続一体に形成された屋根付きの筒状に形成し、この防水シートを、建物の上から被せたうえで建物の外面に固定してもよい。
【発明の効果】
【００１７】
外壁パネルの取り替え工事のような大がかりな工事および高いコストを必要とすることなく、雨漏り対策を半恒久的に施すことができる。
【発明を実施するための最良の形態】
【００１８】
添付の図面を参照しながら本発明にかかる建物の外装を保護する方法の実施形態を説明する。
【００１９】
図１は外装を保護する対象の建物として例示するエレベータ式駐車装置（以下、単に駐車装置という）の一部切り欠き斜視図である。図２は図１の駐車装置の外観斜視図である。図３は図２のＩＩＩ−ＩＩＩ線断面図である。図４は図２のＩＶ−ＩＶ線断面図である。
【００２０】
図１に示す駐車装置１は、その鉄塔２の外面に多数の外装板（外装パネル）３が貼設された全体に四角柱状の駐車塔４と、この駐車塔４の内部に配設された車両搬送機構としてのエレベータ５と、車両Ｍを収容する駐車棚６とから構成されている。図示のごとく、鉄塔２も全体に四角柱を呈しており、四隅に立設された主柱７と、上下方向に所定間隔をおいて主柱間に掛け渡された梁８と、補強のための斜材（ブレース）９とを有している。外装パネル３は鉄塔４との間に空間が形成されるように貼設されている。
【００２１】
図２には長方形状の外装パネル３が整列状態で鉄塔２に貼着された状態が示されている。図３および図４も併せて参照すれば明らかなように、外装パネル３は、鉄塔２のうちの骨格構造となる鉄骨構造体１０の外面側に配置された外装支持用の角形鋼管１１にビス１２等の止め金具によって取り付けられている。外装パネル３の側辺同士の隙間は図示しないコーキング材等によって液密に密封されている。また、駐車塔４の上下に延びる四隅のコーナー部においては、外装パネル３の辺部を覆うように断面Ｌ字状のコーナー部材１３がビス１２等によって上記鋼管１１に取り付けられている。
【００２２】
この駐車塔４には、換気用のガラリ１４が形成され、屋根近くの側面には作業用ゴンドラ等を吊り下げるための吊りフック１５が突設され、避雷針１６も設置されている。鉄塔２はその下端に施された布基礎１７に据え付けられている。駐車塔への出入口１８の上部には庇１９が設置されている。
【００２３】
図２および図３にはこの駐車塔４の屋根が示されている。屋根は、鉄塔２の鉄骨構造体１０の上端に配設された波板状の防錆処理された鋼板等からなるルーフデッキ２０と、このルーフデッキ２０の周縁と側壁である外装パネル３との間の間隙を防水閉止する役割を兼ねた笠木２１とを備えている。本実施形態では、笠木２１は防錆処理された鋼板を図示のごとく折り曲げたものであり、外側の辺が外装パネル３とともにビス１２等によって上記鋼管１１に取り付けられており、内側の辺がルーフデッキ２０の上面にビス１２等によって取り付けられている。ビス等による取付部には図示しないシール部材の装着等がなされている。笠木２１は屋根の四辺に隙間無く貼設されている。屋根は一般的に頑丈でこれが損傷して雨漏りを生じることはほとんど無い。万が一屋根から漏水があっても、その発見は容易である。
【００２４】
一方、外装パネル３のひび割れ部やコーキングの欠損部から雨水が駐車塔４内に侵入してくる可能性はあり、この侵入部位の発見は難しい。したがって、以下のように防水対策が施される。すなわち、防水耐候シート（以下、単に防水シートという）２２を駐車塔４の外周面全体に半恒久的に貼設するのである。このような防水シート２２としては種々の材料を用いることができる。たとえば、ポリエステル繊維やガラス繊維にポリ塩化ビニル等の樹脂を被覆したもの、さらにこの表面に酸化チタン等をコーティングしたものなどを採用することができる。以下に説明する防水シート２２は駐車塔４の屋根を覆うことも容易であるが、前述のとおり屋根が雨漏りの原因となることはきわめて少ないので、図５〜図８を参照しつつ駐車塔４の側壁面のみを覆う方法を説明する。
【００２５】
図５に示すのは前述の駐車装置１であり、その駐車塔４の側壁の面全体が防水シート２２で覆われた状態が斜視図によって示されている。図６は図５のＶＩ−ＶＩ線断面図である。図７は図５のＶＩＩ−ＶＩＩ線断面図である。図８は図５のＶＩＩＩ−ＶＩＩＩ線断面図である。
【００２６】
図５に示すように、駐車塔４の側壁の一部（覆ってはいけない部分）を除いてほぼ全面を覆うように防水シート２２が貼設されている。すなわち、換気用ガラリ１４、吊りフック１５、避雷針１６の取付部、出入口１８および庇１９など、露出が必要な部分については防水シート２２を切除している。また、理解容易のために、この防水シート２２を一部切り欠いて図示し、その内部の外装パネル３を見せている。また、本実施形態では四つの側壁それぞれに、側壁形状に対応する一枚の長方形の防水シート２２が個別に貼設されている。したがって、全ての防水シート２２（本実施形態では四枚）により、駐車塔４の外面のうち側壁面を展開した形状にほぼ対応する形状となる。具体的には、図６に示すように、各防水シート２２は駐車塔４の一側壁面にほぼ一致する側壁対応部分２２ａと、この側壁対応部分２２ａの上端に連続して一体に形成された、屋根に固定するための舌片部分２２ｂとからなる形状を呈している。舌片部分２２ｂは連続して一体に形成することに限定されず、側壁対応部分２２ａに別体のものを隙間無く連結してもよい。防水シート２２の形状は長方形に限定されることはなく、また、側壁形状に一致させる必要もないが、効果的な防水作用を奏し、取り付け作業を容易にするためには側壁形状に一致させるのが好ましい。防水シート２２の側辺に沿って多数個の緊縛用の貫通孔２４ａが形成され、各貫通孔２４ａには鳩目２４が嵌着されている。各防水シート２２を見ると、その上下左右の端辺はそれぞれ、上端部の笠木２１、側端部のＬ字状コーナー部材１３および下端部の当て板２３によって鉄塔２に固定されている。以下、この点を具体的に説明する。
【００２７】
図６に示すように防水シート２２の上端部の舌片部分２２ｂを駐車塔４の屋根に取り付けるに際しては、まず図３に示す状態から笠木２１を一旦取り外す。そして、図６に示すように、防水シート２２の舌片部分２２ｂを外装パネル３および最上部の水平鋼管１１の上に載せる。そして、この舌片部分２２ｂをビス等１２によって当て板（ワッシャのようなもの）２７を介装して水平鋼管１１に固定する。舌片部分２２ｂの上端側は屋根側に垂らし、側壁対応部分２２ａは側壁に沿って下方に垂れ下げる。
【００２８】
ついで図６に示すように、笠木２１を舌片部分２２ｂを覆うようにもとの位置に取り付ける。そして、笠木２１を元どおりにビス等１２によってルーフデッキ２０に固定するとともに、笠木２１の外側の端辺近傍を外側から防水シート２２および外装パネル３と一体にビス等１２によって鋼管１１に固定する。
【００２９】
Ｌ字状のコーナー部材１３も図４の状態から一旦取り外しておく。そして、図５および図７に示すように、駐車塔４の四面それぞれに垂下された防水シート２２の隣接する側辺同士はロープ２５やワイヤ等の長尺部材によって連結する。たとえば、ロープ２５の上端を最上部の鋼管１１などに係着し、このロープ２５を隣接する防水シート２２の相対する鳩目２４に上端から順に通して鳩目２４間を縫うように互いをつなぎ止める。図５において、理解容易のために一本のＬ字状コーナー部材１３を取り外し、図中のＡ部拡大図（一点鎖線の円の中）に示すように、ロープ２５による防水シート２２のつなぎ目を見せている。そして、防水シート２２の下端まで縫ったロープ２５の下端は鉄塔２の下端部近傍に係着しておく。全鳩目２４に通したこのロープ２５を強く縛ると、各防水シート２２の両側辺がわずかに引っ張られるので、駐車塔４の側壁形状に合わせて形成されている防水シート２２はピンと張って外装パネル３の外面にピッタリと沿うようになる。
【００３０】
ついで、隣接する防水シート２２の連結部を覆うようにＬ字状コーナー部材１３をもとの位置に取り付ける。この際、破損して再使用不可能なコーナー部材は新しいものと取り替える。図７に示すように、コーナー部材１３を取り付けるには、まず防水シート２２の鳩目のロープ連結部分を覆うようにコーナー部材１３を宛い、弾性シール部材２６を介装して、防水シート２２および外装パネル３と一体に、このコーナー部の鋼管１１に適宜間隔でビス等１０によって固定する。この弾性シール部材２６を介装することによってコーナー部材１３の内側に鳩目２４およびロープ２５の配設スペースが確保される。また、弾性シール部材２６は駐車塔４の上端から下端まで連続して取り付けるのが防水効果の観点から好ましい。
【００３１】
前述したように、防水シート２２の下端は当て板２３を用いて鉄塔２の下端近傍に固定されている。図８にその詳細が示されている。鋼管１１同士の間を渡すように裏当て板２３ｂが固定されており、この裏当て板２３ｂに沿って外装パネル３の下端辺および防水シート２２の下端辺が重ね合わされている。そして、外側から表当て板２３ａを防水シート２２の下端近傍に宛い、表当て板２３ａと裏当て板２３ｂとによって外装パネル３と防水シート２２とを挟み、ビス１０等によってむようにして防水シート２２の下端辺を固定する。図５に示す防水シート２２の下端が駐車塔４の庇１９の直上に位置している部分についても、図８に示すと同様に当て板２３を用いた固定方法が採用されている。
【００３２】
以上の実施形態では外装パネル３の展装のために角形鋼管を用いているがこれには限定されない。たとえば、Ｈ型鋼、チャンネル鋼、Ｌ型鋼など、好適な種々の材料を使用することができる。
【００３３】
以上のごとく、既設の駐車塔４の側面の全体を防水シート２２が覆うので、たとえ外装パネル３にひび割れが生じていたりコーキングの一部が損傷していても駐車塔４内への雨水の浸入が防止される。また、防水シート２２は日除けも兼ねるので外装パネル３の劣化を抑制することもできる。したがって、既設の建物の外装改装のみに限定されず、新たに建造された建物に上記方法を適用して最初から防水シートを装着してもよい。
【００３４】
図９には他の実施形態が示されている。前述した防水シート２２の装着方法では、一旦笠木２１を取り外し、防水シート２２をその舌片部分２２ｂが笠木２１によって覆い被せられた状態で装着しているが、図９に示す実施形態では笠木２１を取り外さずに防水シート２２を装着する。
【００３５】
まず、舌片部分２２ｂを笠木２１の上に載せ、その上端近傍を笠木２１の内側に当て板２７を介装してビス等１２によって固定する。そして、舌片部分２２ｂを、その外から笠木２１の外側の端辺近傍および外装パネル３と一体に、当て板２７を介装してビス等１２によって鋼管１１に固定する。そして、その他の要領、すなわち防水シート２２の側壁対応部分２２ａを駐車塔４の側壁に沿って下方に垂れ下げるのは前述の実施形態と同じである。また、隣接する防水シート２２の側辺同士をロープで連結したうえでコーナー部材１３を取り付け、防水シート２２の下端辺を当て板２３を用いて鉄塔２に固定する点も前述の実施形態と同じである。
【００３６】
以上説明した防水シート２２の取り付け方法は、直方体状の駐車塔４の各側壁に一枚ずつ取り付け、最終的にこの四枚の防水シート２２を連結して完成させるものである。しかしかかる構成に限定されない。三面または五面以上の側壁を有する建物の場合は、その壁面数に応じた防水シートを用意すれば容易に外装を保護することができる。
【００３７】
一方、防水シートの枚数は建物の壁面数に一致させる必要はない。たとえば図１の駐車塔であれば、駐車塔４の直交二壁面に一枚の防水シートを対応させることとし、全体で二枚の防水シートをそれぞれの側辺をロープ等で連結することによって駐車塔全体の外装保護を行うことも可能である。また、駐車塔４の三壁面に対応する一枚の大面積の防水シートと、残りの一壁面に対応する防水シートとの組み合わせも可能である。
【００３８】
さらに、図１０に示すように、駐車塔４の四壁面に対応する大面積の一枚の防水シート３０を用意してもよい。この防水シートは、駐車塔４の四側壁に対応する四面３０ａ、３０ｂ、３０ｃ、３０ｄが連続して形成され、両側辺にはロープによって縫うための貫通孔２４ａが形成され、そこに鳩目２４が嵌着されている。この一枚の防水シート３０は、駐車塔４の外面のうち側壁面を展開した形状にほぼ対応する形状である。また、各面３０ａ、３０ｂ、３０ｃ、３０ｄの上端には、笠木２１の部分に係着するための舌片部分３１ａ、３１ｂ、３１ｃ、３１ｄが延設されている。
【００３９】
以上説明した防水シート２２では、その側辺同士を連結するために貫通孔に嵌着された鳩目２４にロープ２５を縫うように通しているが、かかる構成に限定されない。たとえば、一方の側辺に適宜間隔をおいてフックを取り付け、他方の側辺にフックが係止する孔や凹所を形成したり、リングを取り付けてもよい。また、その他の好適な公知のクランプ部材を採用してもよい。また、防水シート２２を駐車塔４の屋根に固定するために、笠木２１や外装パネル３を固定しているビス等を兼用しているが、これには限定されず、専用のビスによって防水シート２２を固定してもよい。
【００４０】
また、使用した一枚または複数枚の防水シートにおける、ロープ等によって連結すべき側辺は、建物の上下方向に延びる角部に対応するようにしているが、かかる構成に限定されない。この連結する側辺が建物の壁面中間部に対応していてもよい。しかし、前述の実施形態のように、既設のＬ字状コーナー部材を覆い部材として兼用できる場合には、防水効果の観点から、建物の上下の角部に対応させるのが好ましい。
【００４１】
また、以上の実施形態では駐車塔４の屋根を覆う防水シートについては、それが簡易な構成であるため説明をしていないが、本発明の範囲外であることを意味するものではない。たとえば、駐車塔の屋根の形状に一致した矩形部分と、その四辺それぞれから連続して延設された四つの取付用の舌片部分とを備えた屋根用の防水シートを採用することができる。そして、笠木２１の上からこの屋根用防水シートを被せ、この取付用舌片部分を、笠木２１の外側端辺と側壁用防水シート２２と外装パネル３と一体で上記鋼管１１に固定すればよい。すなわち、この屋根用の防水シートを図６に示す状態の屋根の上に被せ、笠木２１の外側の側面のビス等１２によってこの屋根用防水シートも一体で固定する。
【００４２】
または、上記と同様の屋根用防水シートを、図８に示す状態の屋根の上に被せ、笠木２１の外側の側面のビス等１２によって屋根用防水シートを一体で固定してもよい。これらは例示であるので、もちろん類似の方法も採用することができる。
【００４３】
さらに、屋根用防水シートを側壁用防水シート２２と連続一体に形成してもよい。たとえば、側壁用防水シート２２の上端に形成されている舌片部分（たとえば図１０に示す符号３１ａ、３１ｂ、３１ｃ、３１ｄの少なくとも一つ）を、屋根を渡って向こう側の笠木に固定しうるほど長いものとし、この長い舌片部分によって屋根を覆うのである。この一枚の防水シートは、駐車塔４の屋根および側壁面からなる外面の全てを展開した形状にほぼ対応する形状である。
【００４４】
また、図１の直方体の搭状の駐車塔４のように、外形がきわめて単純な建物であれば、建物の外形よりわずかに大きい屋根付きの四角筒状に形成された防水シートをクレーン等によって上方高く吊り上げ、駐車塔の上からスッポリ被せることも可能である。この場合はもちろん、防水シートにおける駐車塔の出入口やフックや換気用ガラリ等に対応する部分は切除しておく。そして、防水シートを駐車塔４へ固定するための部材はとくに笠木２１に限定されない。駐車塔の屋根や側壁の適宜箇所にビス等によって固定すればよい。
【００４５】
以上の実施形態では、外装保護の対象として直方体状を呈した塔状のエレベータ式駐車装置の駐車塔を例にとっているが本発明の適用はこれには限定されない。たとえば、垂直循環式の駐車装置等の搭状建物を有する駐車装置や立体倉庫等、直方体の搭状に限らず単純な外形状を有する建物に好適である。
【産業上の利用可能性】
【００４６】
本発明によれば、既設の建物の外装を改装することのみならず、新たに建造した建物に対して最初からその外壁を簡易な方法によって保護することができる。
【図面の簡単な説明】
【００４７】
【図１】本発明の保護方法が適用されうる建物の一例であるエレベータ式駐車装置の一部切り欠き斜視図である。
【図２】図１の駐車装置の外観斜視図である。
【図３】図２のＩＩＩ−ＩＩＩ線断面図である。
【図４】図２のＩＶ−ＩＶ線断面図である。
【図５】図２の駐車装置の駐車塔の側壁の面全体が防水シートで覆われた状態を示す斜視図である。
【図６】図５のＶＩ−ＶＩ線断面図である。
【図７】図５のＶＩＩ−ＶＩＩ線断面図である。
【図８】図５のＶＩＩＩ−ＶＩＩＩ線断面図である。
【図９】本発明の他の実施形態にかかる保護方法が適用された駐車装置の一部を示す、図５のＶＩ−ＶＩ線断面に対応する図である。
【図１０】本発明に用いられる防水シートの他の例を示す斜視図である。
【符号の説明】
【００４８】
１・・・・駐車装置
２・・・・鉄塔
３・・・・外装パネル
４・・・・駐車塔
５・・・・エレベータ
６・・・・駐車棚
７・・・・主柱
８・・・・梁
９・・・・ブレース
１０・・・・鉄骨構造体
１１・・・・鋼管
１２・・・・ビス
１３・・・・コーナー部材
１４・・・・換気用ガラリ
１５・・・・吊り下げ用フック
１６・・・・避雷針
１７・・・・布基礎
１８・・・・出入口
１９・・・・庇
２０・・・・ルーフデッキ
２１・・・・笠木
２２・・・・防水シート
２３・・・・当て板
２４・・・・鳩目
２５・・・・ロープ
２６・・・・弾性シール部材
２７・・・・当て板
３０・・・・防水シート
３１ａ〜３１ｄ・・・・舌片部分
Ｍ・・・・車両
【図１】
2006283513.tif 000003
【図２】
2006283513.tif 000004
【図３】
2006283513.tif 000005
【図４】
2006283513.tif 000006
【図５】
2006283513.tif 000007
【図６】
2006283513.tif 000008
【図７】
2006283513.tif 000009
【図８】
2006283513.tif 000010
【図９】
2006283513.tif 000011
【図１０】
2006283513.tif 000012